(57)【要約】【課題】吸振、耐圧、防滑、及び静音の効果を有し、耐久性に富み、組立て解体の容易な木質床板の組立て構造を提供する。【解決手段】複数の木質床板１０、挟止座２０、及び横架３０によって構成する。  二つの隣り合う挟止座２０をスライド枠２４をこれに隣接する挟止座２０の収容空間２５内に嵌合して結合し、枢設座２５６内のスプリングを他方の挟止座の押体２４６で押圧して弾発力に作用した状態で連結する。連結した挟止座に直角に横架３０を係合して枠状に組み合わせる。これらの上に張る木質床板は、隣り合う２辺の側縁に形成した凹、凸状を嵌合すると共に挟止座上に突出した鉤止体２１に側縁に形成した凹溝を嵌合し、更に挟止座上に突出した第一嵌接体２３と第二嵌接体２２に底面の凹溝を嵌合して強固に固定される。【選択図】図１
0003102210.tif 000002
【実用新案登録請求の範囲】
【請求項１】
木質床板の挟止座による組立て構造であり、
複数の木質床板、挟止座、及び横架によって構成され、
前記木質床板は、長方形を呈した木材の板であって、隣り合う長辺と短辺の中央部にはそれぞれ対応するように嵌接凸縁と嵌接凹溝が設けられており、前記長辺の嵌接凹溝の底側縁部には平行に第一嵌着溝が設けられており、さらに前記長辺の嵌接凸縁の底側縁部には平行に第二嵌着溝が設けられており、前記木質床板の底面にはそれぞれ平行に第一掛合溝と第二掛合溝が設けられており、
前記挟止座は、プラスチック製の長方形の挟止式の接合座体であり、挟止座頂面の鉤止体の両端縁はそれぞれ対応する前記木質床板の第一嵌着溝及びこれに隣接する他の木質床板の第二嵌着溝間を嵌合する凸縁をなし、前記挟止座の頂面と前記鉤止体の両側にはそれぞれ平行に第一嵌接体と第二嵌接体が設けられており、前記挟止座の前側にはスライド枠が伸びており、前記スライド枠の両側のスライド板の内側にはそれぞれ対応するように嵌合固定片、さらに前記スライド枠の頂板の内側には押体が設けられており、前記押体の片側には水平に嵌合固定片が突出しており、相対して、前記挟止座の他端の側部には対応するように収容空間が形成されていてこれらを相互に組み合わせて二つの隣り合う挟止座の側端を挟止して、接合する構造とし、前記収容空間の底板の両側にはそれぞれ対応するように嵌接溝が設けられており、前記底板と両側の枠板間にはそれぞれ導溝が設けられており、もう一つの挟止座のスライド枠を対応する導溝内に滑り込ませて組立てる構成とし、前記スライド枠の二つの嵌合固定片は前記底板上の二つの嵌接溝内で定位され、前記底板の前側には枢接座が設けられており、前記枢接座の前端面の円孔内にはスプリングが設けられており、隣接する他の挟止座の対応する押体は相互に組み合わされた状態で前記枢接座内のスプリングを押圧し、前記枢接座側縁の滑溝は対応する前記押体側縁の嵌合固定片を固定させており、二つの隣り合う挟止座間は該スプリングの弾発力によって押圧された状態で相互にて連結されており、
前記横架は、横向きの二つの挟止座間の定位を行う架体であって、前記横架の両端に鉤止端部を設けて連結された前記挟止座の二つの枠板の頂縁の掛止溝を掛止することによりこれら連結された二つの平行な挟止座間を横向きに固定し、定位する作用を具有する
ことを特徴とする木質床板の挟止座による組立て構造。
【請求項２】
前記挟止座の第一嵌接体と第二嵌接体はそれぞれ対応する木質床板の底面の第一掛合溝と第二掛合溝に掛合していることを特徴とする請求項１に記載の木質床板の挟止座による組立て構造。
【請求項３】
前記スライド枠の頂板前側には柄部が伸びており、前記柄部の底縁のストッパ端部は対応する前記収容空間の基板上の定位孔に嵌入し、固定されることを特徴とする請求項１に記載の木質床板の挟止座による組立て構造。
【考案の詳細な説明】
【技術分野】
【０００１】
本考案は、木質床板の挟止座による組立て構造に係り、特に複数の挟止座と横架によって構成された弾力性を持つ長い軌道状の嵌合固定構造によって、木質床板の組立て効果を高める木質床板の挟止座による組立て構造に関わる。
【背景技術】
【０００２】
一般に室内の床板の飾りつけは多くが絨毯、プラスチック床板、或いは木質床板を敷設する方式が採用されているが、絨毯は洗浄と衛生的な手入れが非常に困難であり、プラスチック床板は材質の特性により変形し易く、公知の木質床板は洗浄や手入れがし易く、変形しにくいという長所があるが、公知の木質床板は実際に施工、組立てをする時、コンクリートの床上に基板を打ち付ける必要があり、接着材によって木質床板を固定するために、施工時に手間が掛かり、効率に乏しく、その木質床板間の接合構造は冷却による収縮や熱による膨張を受け易く、そのために木質床板間が変形、或いは圧迫され浮き上がる弊害をもたらし、そのために本考案の考案者はかつて木質床板の軌道式挟止組立て構造を考案し、台湾実用新案公告第５１２８５０号を獲得した。しかし、前記実用新案は上述の公知の木質床板の施工、組立て時における弊害を改善したが、挟止組立て構造間において、やはりまだ複雑であり、その平行軌道式の挟止座間において、組立て構造の定位に対する補助に乏しく、そのために、本考案の考案者は上述の欠点に対して更なる研究、改良を行った。
【特許文献１】台湾実用新案公告第５１２８５０号公報
【考案の開示】
【考案が解決しようとする課題】
【０００３】
本考案は、敷設を手早く行うことができ、組立てを正確に行うことができ、コストを下げることができるという効果を具有し、更に、釘打ち、接着が必要なく、冷却による収縮や熱による膨張によって浮き上がる現象の発生を防ぎ、前記木質床板、挟止座、及び横架間の正確な、弾力性を持つ組立て構造によって、吸震、抗圧、防滑、及び静音の効果を具有し、木質床板の使用寿命を延ばし、組立て効果を高めることができる木質床板の挟止座による組立て構造を提供することを課題とする。
【課題を解決するための手段】
【０００４】
前記課題を解決するために、本考案は、木質床板の挟止座による組立て構造であり、複数の木質床板、挟止座、横架によって構成されており、隠閉された内圧式のスプリングによって二つの隣り合う挟止座間を挟圧し、組立てられており、前記複数の挟止座は連結され、数本の平行の長い軌道状の構造を呈して組立てられており、平行の挟止座間には横向きに横架が嵌合固定されており、複数の木質床板は横向きに対応する挟止座の頂面に嵌合固定されており、前記木質床板における両側の長辺の第一嵌着溝と第二嵌着溝はそれぞれ二つの隣り合う挟止座上の二つの対応する鉤止体間において挟止されており、前記木質床板の下向きへの押圧動作によって、二つの隣り合う挟止座間は弾力性に反発しながら隙間があけられ、前記挟止座のスライド枠はもう一つの挟止座の収容空間内にスライドされ、組立てられ、前記スライド枠内側の二つの嵌合固定片はスライドされ、もう一つの挟止座の底板上の二つの対応する嵌接溝内において定位され、全体の組立て構造の安定性を高めることができる。
【０００５】
請求項１の考案は、木質床板の挟止座による組立て構造であり、
複数の木質床板、挟止座、及び横架によって構成されており、
前記木質床板は、長方形を呈した木材の板であり、その隣り合う長辺と短辺の中央部にはそれぞれ対応するように嵌接凸縁と嵌接凹溝が設けられており、前記長辺の嵌接凹溝の底側縁部には平行に第一嵌着溝が設けられており、さらに前記長辺の嵌接凸縁の底側縁部には平行に第二嵌着溝が設けられており、前記木質床板の底面にはそれぞれ平行に第一掛合溝と第二掛合溝が設けられており、
前記挟止座は、プラスチック性材料の長方形の挟止式の接合座体であり、挟止座頂面の鉤止体の二端縁はそれぞれ対応する前記木質床板の第一嵌着溝と、もう一つの木質床板の第二嵌着溝間を嵌接しており、前記挟止座の頂面と前記鉤止体の両側にはそれぞれ平行に第一嵌接体と第二嵌接体が設けられており、前記挟止座の前側にはスライド枠が伸びており、前記スライド枠の両側のスライド板の内側にはそれぞれ対応するように嵌合固定片、さらに前記スライド枠の頂板の内側には押体が設けられており、前記押体の片側には水平に嵌合固定片が伸びており、相対して、前記挟止座のもう一つの側部には対応するように収容空間が設けられており、二つの隣り合う挟止座の側端を挟止し、接合することができる構造になっており、前記収容空間の底板の両側にはそれぞれ対応するように嵌接溝が設けられており、前記底板と両側の枠板間にはそれぞれ導溝が設けられており、もう一つの挟止座のスライド枠を対応する導溝内に滑り込ませ、組立てることができ、前記スライド枠の二つの嵌合固定片は前記底板上の二つの嵌接溝内で定位され、前記底板の前側には枢接座が設けられており、前記枢接座の前端面の円孔内にはスプリングが設けられており、さらに、もう一つの挟止座の対応する押体は前記枢接座内のスプリングを押さえ、前記枢接座側縁の滑溝は対応する前記押体側縁の嵌合固定片を固定させており、二つの隣り合う挟止座間は弾力性を持ち、伸縮する軌道式の床板挟止構造によってお互いに嵌接し、組立てられており、
前記横架は、横向きの二つの挟止座間の定位を行う架体であり、前記横架の両端の鉤止端部は対応する前記挟止座の二つの枠板の頂縁の掛止溝を掛止しており、二つの平行の挟止座間を横向きに固定し、定位する作用を具有する
ことを特徴とする木質床板の挟止座による組立て構造である。
【０００６】
請求項２の考案は、前記挟止座の第一嵌接体と第二嵌接体はそれぞれ対応する木質床板の底面の第一掛合溝と第二掛合溝に掛合していることを特徴とする請求項１に記載の木質床板の挟止座による組立て構造である。
【０００７】
請求項３の考案は、前記スライド枠の頂板前側には柄部が伸びており、前記柄部の底縁のストッパ端部は対応する前記収容空間の基板上の定位孔に嵌入し、固定されることを特徴とする請求項１に記載の木質床板の挟止座による組立て構造である。
【考案の効果】
【０００８】
本考案の木質床板の接合組立て構造によって、敷設を手早く行うことができ、組立てを正確に行うことができ、コストを下げることができるという効果が得られ、更に本考案によって、釘打ち、接着の必要なく、冷却による収縮や熱による膨張によって浮き上がる現象の発生を防ぎ、前記木質床板、挟止座、及び横架間の正確な、弾力性を持つ組立て構造によって、本考案の木質床板は吸振抗圧、防滑、及び静音の効果を具有し、木質床板の使用寿命を延ばし、組立て効果を高めた。
【考案を実施するための最良の形態】
【０００９】
本考案は、木質床板の挟止座による組立て構造であり、複数の木質床板、挟止座、横架によって構成されており、隠閉された内圧式のスプリングによって二つの隣り合う挟止座間を挟圧し、組立てられており、前記複数の挟止座は連結され、数本の平行の長い軌道状の構造を呈して組立てられており、平行の挟止座間には横向きに横架が嵌合固定されており、複数の木質床板は横向きに対応する挟止座の頂面に嵌合固定されており、前記木質床板における両側の長辺の第一嵌着溝と第二嵌着溝はそれぞれ二つの隣り合う挟止座上の二つの対応する鉤止体間において挟止されており、前記木質床板の下向きへの押圧動作によって、二つの隣り合う挟止座間は弾力性に反発しながら隙間があけられ、前記挟止座のスライド枠はもう一つの挟止座の収容空間内にスライドされ、組立てられ、前記スライド枠内側の二つの嵌合固定片はスライドされ、もう一つの挟止座の底板上の二つの対応する嵌接溝内において定位され、全体の組立て構造の安定性を高めることができるものである。以下に、本考案の好適な実施例を図に沿って説明する。
【実施例１】
【００１０】
図１、２、３、４、５、６、７に示すように、本考案は木質床板の挟止座による組立て構造に関わり、複数の木質床板１０、挟止座２０、及び横架３０によって構成されており、
前記木質床板１０は、長方形を呈した木材の板であり、その隣り合う長辺と短辺の側縁中央部にはそれぞれ対応するように嵌接凸縁１１と、もう一方の対応する長辺と短辺の側縁中央部にはそれぞれ嵌接凹溝１３が設けられており、二つの隣り合う木質床板１０はお互いにこれらの凸縁と凹溝を対応して嵌接され、一体に組立てられ（図１０を参照）、前記長辺の嵌接凹溝１３の底側縁部には平行に第一嵌着溝１４が設けられており、さらに前記長辺の嵌接凸縁１１の底側縁部には平行に第二嵌着溝１２が設けられており、前記木質床板１０の底面の適当な位置にはそれぞれ平行に第一掛合溝１８と第二掛合溝１７が設けられている。
【００１１】
前記挟止座２０は、プラスチック性材料の長方形の挟止式の接合座体であり、前後にお互いに対応し、組立てられる軌道式の座体であり、挟止座２０頂面の中央部には上向きに鉤止体２１が突出しており、前記鉤止体２１の頂縁両側の鉤部はそれぞれ対応する前記木質床板１０の第一嵌着溝１４とこれに接するもう一つの木質床板１０の第二嵌着溝１２間を嵌合しており、前記挟止座２０の頂面の前記鉤止体２１の両側にはそれぞれ平行に第一嵌接体２３と第二嵌接体２２が設けられており、前記第一嵌接体２３と第二嵌接体２２はそれぞれ木質床板１０の底面の第一掛合溝１８とこれに接するもう一つの木質床板１０の第二掛合溝１７を掛合しており、前記挟止座２０の前側にはコ型を呈するスライド枠２４が伸びており、前記スライド枠２４の両側は平行のスライド板２４１であり、前記二つのスライド板２４１の内側の適当な位置にはそれぞれ対応するように嵌合固定片２４３、さらに前記スライド枠２４の頂板２４５の内側には押体２４６が設けられており、前記押体２４６の片側には水平に嵌合固定片２４７が突出しており、挟止座２０を上方に動かすことができるように前記頂板２４５の前側には柄部２４８が伸びており、前記柄部２４８の底縁にはストッパ端部２４９が設けられており、相対して、前記挟止座２０の他端には対応するように収容空間２５が設けられており、二つの隣り合う挟止座２０の対応する前後の側端を挟止し、長い軌道状の挟止構造が組立てられている（図８、９、１０、１１、１２、１３を参照）。
【００１２】
前記収容空間２５の両側は平行な枠板２５１であり、前記二つの枠板２５１の頂縁の適当な位置にはそれぞれ対応する掛止溝２５２が設けられており、横向きに横架３０を接続しており、前記収容空間２５の底板２５３の両側にはそれぞれ対応するように嵌接溝２５４が設けられており、前記底板２５３と両側の枠板２５１間にはそれぞれ導溝２５５が設けられており、もう一つの挟止座２０のスライド枠２４を対応する導溝２５５内に滑り込ませて組立てることができる。
前記スライド枠２４内側の二つの対応する嵌合固定片２４３はスライドされ、前記底板２５３上の二つの対応する嵌接溝２５４内で定位され、二つの隣り合う挟止座２０が浮き上がる弊害を避けることができ、前記底板２５３の前側には中空の枢接座２５６が設けられており、前記枢接座２５６の頂縁は上向きに対応するように第一嵌接体２３が伸びており、前記枢接座２５６の前端面の円孔内にはスプリング３６が設けられており、これに隣接するもう一つの挟止座２０の対応する押体２４６は、スライドされて前記枢接座２５６内のスプリング３６を押さえ、二つの隣り合う挟止座２０間は弾力性を持つ伸縮する軌道式の床板挟止構造によって嵌接される。前記枢接座２５６の側縁には水平に滑溝２５７が設けられており、前記滑溝２５７はこれに隣接するもう一つの挟止座２０の押体２４６側縁の嵌合固定片２４７に対応しており、前記押体２４６がスライドされ、枢接座２５６内のスプリング３６を押さえる時、前記押体２４６側縁の嵌合固定片２４７はスライドされ、前記枢接座２５６側縁の滑溝２５７内に嵌合して定位でき、組立て構造の安定性を高めることができる。
二つの枠板２５１間に連続する基板２５８上には定位孔２５９が設けられており、前記定位孔２５９は他の挟止座２０の柄部２４８底縁のストッパ端部２４９を定位する作用を有する。
【００１３】
前記横架３０は、横向きの二つの挟止座２０間の定位を行う棒体であり、前記横架３０の両端の鉤止端部３１は対応する前記挟止座２０の掛止溝２５２に掛止しており、二つの平行に並ぶ挟止座２０間を横向きに安定させて定位する作用を有し（図１３を参照）平行に組立てられた軌道式の挟止座２０間において傾いたり、緩んだりする現象が発生するのを防いでいる。
前記嵌接された軌道式の挟止座２０の底面には吸振、防滑、及び静音効果を達成するために、一層の軟質シート片（図なし）を敷設することができる。
【００１４】
本考案は、隠閉された内圧式のスプリング３６によって二つの隣り合う挟止座２０間を挟圧して組立てられており、前記複数の挟止座２０は連結され、数本の平行の長い軌道状の構造を呈して組立てられる。
平行の挟止座２０間には横向きに定位体である横架３０が嵌合固定されており、複数の木質床板１０は横向きに対応する挟止座２０の頂面に嵌合固定されており、前記二つの木質床板１０間の接合面は前記二つの隣り合う挟止座２０間の接合面と相互に位置をずらした交錯状態を呈しており、即ち、前記木質床板１０の短辺中段部位は安定して前記二つの隣り合う挟止座２０上の接合面頂縁の位置を下方に押圧することができ、前記木質床板１０における両側の長辺の第一嵌着溝１４と第二嵌着溝１２はそれぞれ二つの隣り合う挟止座２０上の二つの対応する鉤止体２１間において挟止されている。
前記木質床板１０の下向きへの押圧動作によって、前記挟止座２０上の押体２４６は対応するもう一つの挟止座２０の枢接座２５６内のスプリング３６を押圧し、二つの隣り合う挟止座２０間は隙間の距離Hをあけ、前記二つの隣り合う挟止座２０間は前記木質床板１０に相対して弾力性を持ち伸縮する長い軌道状の挟止構造になっており、前記挟止座２０のスライド枠２４はもう一つの挟止座２０の収容空間２５内にスライドされて組立てられ、前記スライド枠２４内側の二つの嵌合固定片２４３はスライドされてもう一つの挟止座２０の底板２５３上の二つの対応する嵌接溝２５４内において定位され、全体の組立て構造の安定性を高めることができる。前記柄部２４８の底縁のストッパ端部２４９は、組立て時、前記挟止座２０の基板２５８上の定位孔２５９の位置に定位することができ、組立ての手軽さや手早さ、正確性をより高める効果を持ち、解体して運搬する時は、前記柄部２４８を上向きに引き、弾力性によって、前記挟止座２０を引くことができ、解体を簡単に、組立てを便利にする効能をもつ。
【００１５】
本考案の木質床板１０の接合組立て構造は、敷設を手早く行うことができると共に組立てを正確に行うことができ、コストを下げることができるという効果を有しており、更に本考案は釘打ち、接着が必要なく、冷却による収縮や熱による膨張によって浮き上がる現象の発生を防ぎ、前記木質床板１０、挟止座２０、及び横架３０間の正確な弾力性を持つ組立て構造によって、本考案の木質床板は吸振抗圧、防滑、及び静音の効果を具有し、木質床板の使用寿命を延ばし、及び組立て効果を高めた。
【００１６】
以上をまとめると、本考案は木質床板１０の挟止座２０による組立て構造であり、複数の挟止座２０によって軌道式の挟止構造が組立てられており、木質床板１０と挟止座２０間の上下に交錯し、嵌接され、組立てられる構造により、前記二つの隣り合う挟止座２０間の接合面は木質床板１０の下方への重力負荷を受け、それによって、お互いが圧迫し合い、浮き上がる欠点が改善され、更に、本考案は組立て、解体が簡単で、素早く敷設ができ、木質床板１０の静音、防震効果を高める効果を具有しており、更に、本考案は構造が安定しており、膨張、収縮を防ぐ効果を具有している。
【図面の簡単な説明】
【００１７】
【図１】本考案における木質床板の挟止座の組立て構造を示す図である。
【図２】図１の局部拡大立体分解図であり、挟止座、スプリング、横架の組立ての様子を示す。
【図３】本考案における木質床板の挟止座間の組立て構造を示す図である。
【図４】図２における挟止座の俯瞰図である。
【図５】図２における背面図である。
【図６】図４における６−６線の断面図である。
【図７】図４における７−７線の断面図である。
【図８】本考案における二つの隣り合う挟止座間の組立て動作を示す図であり、二つの挟止座のそれぞれの側端を上下に合わせて組立てる様子を示す。
【図９】本考案における二つの隣り合う挟止座間の組立て後の様子を示す断面図である。
【図１０】本考案における木質床板と挟止座間の組立てを示す断面図１である。
【図１１】本考案における木質床板と挟止座間の組立てを示す断面図２である。
【図１２】本考案における木質床板と挟止座間の組立てを示す断面図３である。
【図１３】本考案における複数の木質床板と挟止座の実際に施工した様子を示す俯瞰図であり、並列の軌道式による挟止座と木質床板間の組立て構造を示す。
【符号の説明】
【００１８】
１０    木質床板
１１    嵌接凸縁
１２    第二嵌着溝
１３    嵌接凹溝
１４    第一嵌着溝
１７    第二掛合溝
１８    第一掛合溝
２０    挟止溝
２１    鉤止体
２２    第二嵌接体
２３    第一嵌接体
２４    スライド枠
２４１  スライド板
２４３  嵌合固定片
２４５  頂板
２４６  押体
２４７  嵌合固定片
２４８  柄部
２４９  ストッパ端部
２５    収容空間
２５１  枠板
２５２  掛止溝
２５３  底板
２５４  嵌接溝
２５５  導溝
２５６  枢接座
２５７  滑溝
２５８  基板
２５９  定位孔
３０    横架
３１    鉤止端部
３６    スプリング
【図１】
0003102210.tif 000003
【図２】
0003102210.tif 000004
【図３】
0003102210.tif 000005
【図４】
0003102210.tif 000006
【図５】
0003102210.tif 000007
【図６】
0003102210.tif 000008
【図７】
0003102210.tif 000009
【図８】
0003102210.tif 000010
【図９】
0003102210.tif 000011
【図１０】
0003102210.tif 000012
【図１１】
0003102210.tif 000013
【図１２】
0003102210.tif 000014
【図１３】
0003102210.tif 000015